(57)【要約】    【課題】  信号を誤認識せず、経済的で拡張性をもつ波長分割多重伝送システムを提供する。  【解決手段】  ノードＡ１〜Ｄ１，Ａ２〜Ｄ２から構成され、一つあたりのノードが、ＴＸＡ１１Ａ〜１１Ｄ，２１Ａ〜２１Ｄ、ＲＸＡ１２Ａ〜１２Ｄ，２２Ａ〜２２Ｄ、ＯＭＵＸ１３Ａ〜１３Ｄ，２３Ａ〜２３Ｄ、ＯＤＭＵＸ１４Ａ〜１４Ｄ，２４Ａ〜２４Ｄを一組ずつ持つ。ＴＰＮＤ１５Ａ，１６Ａ、１５Ｄ，１６Ｄが２枚１組としてノードＡ１，Ｄ１に設置される。ノードＡ１，Ａ２は端局３０に設置され、ＴＰＮＤ１５Ａ，１６Ａの波長分割多重側の入出力はそれぞれノードＡ１とＡ２のＯＭＵＸ１３Ａ，２３Ａ及びＯＤＭＵＸ１４Ａ，２４Ａに接続される。ノードＢ１，Ｂ２，Ｃ１，Ｃ２は、中間局４０に設置され、光信号の多重波長数を示す多重波長数情報を、光信号の伝送路と異なるＯＳＣ間通信バス７１を介して、下流のノードに伝送する。【選択図】    図１
2006279355.tif 000002
【特許請求の範囲】
【請求項１】
光信号を入出力する端局と、当該端局間に位置し、光伝送路で接続される中間局からなり、前記光信号を波長分割多重して伝送を行う波長分割多重伝送システムであって、
前記端局と前記中間局によって形成される信号伝送系を、現用系と予備用系からなる冗長構成とし、
前記端局の前記現用系側に、前記光信号の入出力手段を前記現用系及び前記予備用系共に設けたことを特徴とする波長分割多重伝送システム。 
【請求項２】
光信号を入出力し、前記光信号を波長分割多重して伝送を行う端局を有する波長分割多重伝送システムであって、
前記端局を含んで形成される信号伝送系を、現用系と予備用系からなる冗長構成とし、
前記端局の前記現用系側に、前記光信号の入出力手段を前記現用系及び前記予備用系共に設けたことを特徴とする波長分割多重伝送システム。
【請求項３】
前記端局及び前記中間局が、それぞれ前記現用系と前記予備用系を構成する複数の波長分割多重伝送装置を備えることを特徴とする請求項１に記載の波長分割多重伝送システム。
【請求項４】
前記冗長構成に基づいて設定された所定の制御情報に基づいて、前記入出力手段を介して、前記現用系又は前記予備用系における光信号伝送のクロック同期の制御を行う制御部を有することを特徴とする請求項１から請求項３の何れか１に記載の波長分割多重伝送システム。
【請求項５】
前記制御部は、
前記現用系及び前記予備用系のそれぞれの前記端局の波長分割多重伝送装置及び前記中間局の波長分割多重伝送装置毎に定められた制御情報であって、
前記端局の波長分割多重伝送装置及び前記中間局の波長分割多重伝送装置の設置位置を示す位置情報と、光信号伝送の上流方向又は下流方向における接続関係を示す接続情報と、クロック同期のベースとなるベースクロック信号の主従関係を示すクロック情報とを含む前記制御情報に基づき、
前記現用系及び前記予備用系のクロック信号の同期をとることを特徴とする請求項４に記載の波長分割多重伝送システム。
【請求項６】
前記中間局の波長分割多重伝送装置間において、伝送される前記光信号に含まれる前記光信号の多重波長数を示す多重波長数情報を、前記光信号の伝送路と異なる通信バスを介して、下流の前記波長分割多重伝送装置に伝送することを特徴とする請求項１又は請求項３から請求項５の何れか１つに記載の波長分割多重システム。
【請求項７】
前記中間局の波長分割多重伝送装置が、前記多重波長数情報を入出力するための、通信用の外部インタフェース部を備えることを特徴とする請求項６に記載の波長分割多重伝送システム。
【請求項８】
前記中間局の波長分割多重伝送装置間で前記多重波長数情報を伝送する前記通信バスを、光パッチコード又は電気ケーブルで構成することを特徴とする請求項６又は請求項７に記載の波長分割多重伝送システム。
【請求項９】
前記多重波長数情報と、前記多重波長数情報を抽出された光信号のパワーレベルとに基づいて、前記中間局の波長分割多重伝送装置間で伝送された光信号の多重波長数を判定することを特徴とする請求項６から請求項８の何れか１つに記載の波長分割多重伝送システム。
【請求項１０】
光信号を入出力する端局を構成し、前記光信号を波長分割多重して伝送を行う波長分割多重伝送装置であって、
前記端局によって形成される信号伝送系を、現用系と予備用系からなる冗長構成とし、
前記端局の前記現用系側に、前記現用系又は前記予備用系を伝送される前記光信号の入出力手段を前記現用系及び前記予備用系共に設けたことを特徴とする波長分割多重伝送装置。
【請求項１１】
前記端局が、前記現用系と前記予備用系を構成する複数の波長分割多重伝送手段を備えることを特徴とする請求項１０に記載の波長分割多重伝送装置。
【請求項１２】
前記冗長構成に基づいて設定された所定の制御情報に基づいて、前記入出力手段を介して、前記現用系又は前記予備用系における光信号伝送のクロック同期の制御を行う制御部を有することを特徴とする請求項１０又は請求項１１に記載の波長分割多重伝送装置。
【請求項１３】
光信号を入出力する端局を構成し、前記光信号を波長分割多重して伝送を行う波長分割多重伝送装置の制御方法であって、
前記端局によって形成される信号伝送系を、現用系と予備用系からなる冗長構成とし、前記端局の前記現用系側に、前記光信号の入出力手段を前記現用系及び前記予備用系共に設け、
前記冗長構成に基づいて設定された所定の制御情報に基づいて、前記入出力手段を介して、前記現用系又は前記予備用系における光信号伝送のクロック同期の制御を行うことを特徴とする波長分割多重伝送装置の制御方法。
【請求項１４】
前記現用系及び前記予備用系のそれぞれの前記端局の波長分割多重伝送装置及び前記中間局の波長分割多重伝送装置毎に定められた制御情報であって、
前記端局の波長分割多重伝送装置及び前記中間局の波長分割多重伝送装置の設置位置を示す位置情報と、光信号伝送の上流方向又は下流方向における接続関係を示す接続情報と、クロック同期のベースとなるベースクロック信号の主従関係を示すクロック情報とを含む前記制御情報に基づき、
前記現用系及び前記予備用系のクロック信号の同期をとることを特徴とする請求項１３に記載の波長分割多重伝送装置の制御方法。
【請求項１５】
前記中間局の波長分割多重伝送装置間において、伝送される前記光信号に含まれる前記光信号の多重波長数を示す多重波長数情報を、前記光信号の伝送路と異なる通信バスを介して、下流の前記波長分割多重伝送装置に伝送することを特徴とする請求項１３又は請求項１４に記載の波長分割多重伝送装置の制御方法。
【請求項１６】
前記多重波長数情報と、前記多重波長数情報を抽出された光信号のパワーレベルとに基づいて、前記中間局の波長分割多重伝送装置間で伝送された光信号の多重波長数を判定することを特徴とする請求項１５に記載の波長分割多重伝送装置の制御方法。
【発明の詳細な説明】
【技術分野】
【０００１】
本発明は、光信号の波長分割多重伝送に関し、特に、経済的な冗長構成の構築が可能な波長分割多重伝送システム、波長分割多重伝送装置及び波長分割多重伝送装置の制御方法に関する。
【背景技術】
【０００２】
従来のＷＤＭ（Ｗａｖｅｌｅｎｇｔｈ  Ｄｉｖｉｓｉｏｎ  Ｍｕｌｔｉｐｌｅｘｅｒ：波長分割多重）伝送装置の構成の１例を図１０に示す。
【０００３】
図１０に示すように、従来の波長分割多重伝送システムは、ノードＡ，Ｂ，Ｃ，Ｄなどから構成されており、以下のような動作によって光信号を伝送していた。
【０００４】
ノードＡ，Ｄは、ＴＰＮＤ（Ｔｒａｎｓｐｏｎｄｅｒ）で、クライアント（装置）から入力した光信号を、電気変換し、３Ｒ（Ｒｅｔｉｍｅ，Ｒｅｇｅｎｅｒａｔｅ，Ｒｅｓｈａｐｅ）再生してＩＴＵ−Ｔ Ｇｒｉｄ（ＩＴＵ−Ｔ Ｇ．６９２ の光インターフェース波長間隔）で規定された複数の光波長の信号に変換し、ＯＭＵＸ（Ｏｐｔｉｃａｌ  Ｍｕｌｔｉｐｌｅｘｅｒ）で、これら複数の波長をもつ信号を、合波して波長多重信号として出力すると共に、ＴＸＡ（Ｔｒａｎｓｍｉｓｓｉｏｎ  Ａｍｐｌｉｆｉｅｒ）で出力された波長多重信号を増幅して伝送路から送信する。
【０００５】
中継アダプタであるＩＬＡ（Ｉｎｔｅｇｒａｔｅｄ  Ｌｉｎｋ  Ａｄａｐｔｅｒ）を有する中継局は、ノードＡ，Ｂ間及びノードＣ，Ｄ間でそれぞれ伝送路を流れる波長多重信号を増幅して中継する。
【０００６】
ノードＢ，Ｃは、ＲＸＡ（Ｒｅｃｅｉｖｅ  Ａｍｐｌｉｆｉｅｒ）で、それぞれノードＡ，Ｄから伝送路を介して送信された波長多重信号を増幅し、ＯＤＭＵＸ（Ｏｐｔｉｃａｌ  Ｄｅｍｕｌｔｉｐｌｅｘｅｒ）で、ＩＴＵ−Ｔ  Ｇｒｉｄで規定された複数の波長信号に分波し、それぞれ対向するノードＢ，Ｃに光信号として送信する。
【０００７】
また、ノードＢ，Ｃは、それぞれ対向するノードＢ，Ｃから送信された光信号を電気変換することにより、３Ｒ再生してＯＭＵＸに入力するＢＢＴＰＮＤ（Ｂａｃｋ  ｔｏ  Ｂａｃｋ  Ｔｒａｎｓｐｏｎｄｅｒ）を備える。
【０００８】
さらに、ノードＡ，Ｂ，Ｃ，Ｄは、波長多重信号の増幅（ＴＸＡ，ＲＸＡによる増幅）に必要な波長多重信号における多重波長数の情報を、それぞれ伝送路から抽出し、同一ノード内の別の伝送路に送出し、多重波長数の情報を抽出された光信号に波長多重するＯＳＣ（Ｏｐｔｉｃａｌ  Ｓｕｐｅｒｖｉｓｏｒｙ  Ｃｈａｎｎｅｌ）を備える。
【０００９】
最後に、ノードＡ，Ｄは、ノードＢ，Ｃによる伝送路から入力した波長多重信号を、増幅し（ＲＸＡ）、規定された複数の波長信号に分波し（ＯＤＭＵＸ）、ＴＰＮＤを介してクライアントに光信号として出力する。
【００１０】
しかし、このような従来の構成では、波長分割多重伝送システムのいずれかの機能が故障した場合に伝送が行えないという問題点があった。
【００１１】
そこで、上記のような問題点を解決するために、例えば特開２００４−３２３０６号公報（特許文献１）では、現用系及び予備用系の冗長構成をとり、機能の故障などに起因する現用系及び予備用系の切替コマンド情報と切替要因発生通知とを監視して、現用系で信号の伝送が行えない場合に予備用系の装置に切替可能な波長多重伝送装置が開示されている。
【特許文献１】特開２００４−３２３０６号公報
【発明の開示】
【発明が解決しようとする課題】
【００１２】
しかしながら、このような従来の波長多重伝送装置においては、以下のような課題があった。
【００１３】
第１の課題は、現用系と予備用系からなる冗長構成とするための作業が非常に困難であることである。
【００１４】
その理由は、ノードを増設して現用系と予備用系からなる冗長構成とする場合、ノード間の制御を行うには、所定の冗長構成を想定して予め各ノードの実装位置や各種設定を定めておかなくてはならず、その制御が非常に複雑となる。このことが、別途新たに現用系や予備用系を増設して冗長構成することの作業を困難にしていた。
【００１５】
第２の課題は、現用系を構成する波長分割システムと予備系を構成する波長分割システムとの回線二重化をしようとすると、制御情報の伝達を行うための回路が必要となるので、構成が複雑になることである。
【００１６】
その理由は、冗長構成をとるＴＰＮＤ間で回線品質の良い側に回線を切り替えるため、現用パッケージと予備用パッケージとが、お互いの回線品質状態を監視して情報として持つ必要があるので、現用パッケージと予備用パッケージにそれぞれ実装されるＴＰＮＤ間の制御情報をパッケージ間で伝達する回路が必要となるからである。
【００１７】
第３の課題は、同一局舎内であるなどの理由により光信号の再生中継が不要な伝送距離であるにもかかわらず、ＢＢＴＰＮＤ等のハードウェア部品が必要となり、コストがかかることである。
【００１８】
それは、以下のような理由による。
【００１９】
本来、再生中継が不要な伝送距離である場合、光パッチコード等で直接接続する方がコスト的に有利である。
【００２０】
また、光増幅器では、入力される光信号の波長数に合わせて、励起光のレベル調整を行う必要があり、波長数に合った励起光のレベルが投入されないと、１波あたりの励起光レベルが設計値よりも高く、もしくは低くなるため、目標とする伝送性能が得られない。このため、波長数を正しくカウントすることにより、１波長あたりに入力される励起光のレベルを制御する必要がある。
【００２１】
しかし、波長分割多重伝送では、ＥＤＦＡ（Ｅｒｂｉｕｍ−Ｄｏｐｅｄ  Ｏｐｔｉｃａｌ  Ｆｉｂｅｒ  Ａｍｐｌｉｆｉｅｒ：エルビウム添加光ファイバ）による光増幅によって中継を重ねる毎に雑音が蓄積される。従って、光パッチコードで信号をそのまま伝送すると、ＯＭＵＸの入力部において、信号ではなく雑音による光パワーレベルを検知してしまうことによって、雑音を信号と誤認識することがあるため、光信号の波長数を正しくカウントできない可能性がある。
【００２２】
そして、光信号の波長数を正しくカウントできないことから、波長数に合わせた励起光のレベル調整が精度よくなされず伝送する光信号の伝送品質が著しく低下する。
【００２３】
以上のような理由により、波長数を正しくカウントするために、光信号を電気信号に変換し、適正信号であるか否かを判定するためのＢＢＴＰＮＤが必要となり、その分だけコストがかかっていた。
【００２４】
本発明の目的は、波長分割多重伝送システムにおいて、現用系と予備用系からなる冗長構成を容易に実現できる波長分割多重伝送システム、波長分割多重伝送装置及び波長分割多重伝送装置の制御方法を提供することにある。
【００２５】
また、本発明の他の目的は、ハードウェアの部品点数を削減することで、コストを低く抑えることのできる波長分割多重伝送システム、波長分割多重伝送装置及び波長分割多重伝送装置の制御方法を提供することにある。
【課題を解決するための手段】
【００２６】
上記目的を達成するため本発明は、光信号を入出力する端局と、当該端局間に位置し、光伝送路で接続される中間局からなり、前記光信号を波長分割多重して伝送を行う波長分割多重伝送システムであって、前記端局と中間局によって形成される信号伝送系を、現用系と予備用系からなる冗長構成とし、前記端局の前記現用系側に、前記現用系又は前記予備用系を伝送される前記光信号の入出力手段を前記現用系及び前記予備用系共に設けたことを特徴とする構成としている。
【００２７】
このような構成の本発明によれば、光信号が、端局の現用系側に設けられた入出力手段のみから入力され、入力側の端局の現用系と予備用系、中間局の現用系と予備用系及び出力側の端局の現用系と予備用系を経て出力側の端局の入出力手段のみから出力される。
【００２８】
さらに本発明は、中間局のノード間において、伝送される光信号に含まれる光信号の多重波長数を示す多重波長数情報を、光信号の伝送路と異なる通信バスを介して、下流のノードに伝送することを特徴とする構成としている。
【００２９】
このような構成の本発明によれば、光信号から抽出された多重波長数情報が、本来の光信号の伝送路と別の設けた通信バスを介して下流のノードに伝送される。
【発明の効果】
【００３０】
以上説明したように、本発明における効果は、波長分割多重伝送システムにおいて、現用系と予備用系からなる冗長構成を容易に実現できることである。
【００３１】
その理由は、光信号を入出力する端局の現用系側に、現用系又は予備用系を伝送される光信号の入出力手段を、現用系及び予備用系共に設けたことにより、光信号の伝送における現用系と予備用系間の制御が容易となるためである。
【発明を実施するための最良の形態】
【００３２】
次に、本発明の実施の形態について図面を参照して詳細に説明する。
【００３３】
（第１の実施の形態）
図１は、本発明の第１の実施の形態におけるＷＤＭ（Ｗａｖｅｌｅｎｇｔｈ  Ｄｉｖｉｓｉｏｎ  Ｍｕｌｔｉｐｌｅｘｅｒ：波長分割多重）伝送システム１００の構成を示す模式図である。
【００３４】
図１を参照すると、波長分割多重伝送システム１００は、一方の外部にあるクライアント８０から入力した光信号を、波長分割多重伝送によって中継することにより、他方の外部にあるクライアント９０に出力する装置である。
【００３５】
また、波長分割多重伝送システム１００は、クライアント８０，９０との間で光信号の入出力をする位置に設置された端局（局舎）３０，５０と、端局３０，５０間に位置する伝送路で接続される中間局（局舎）４０によって形成される信号伝送系を、現用系と予備用系からなる冗長構成としている。
【００３６】
波長分割多重伝送システム１００は、ノードＡ１，Ａ２，Ｂ１，Ｂ２，Ｃ１，Ｃ２，Ｄ１，Ｄ２（以下、適宜Ａ１〜Ｄ１，Ａ２〜Ｄ２と記載する。他のものも適宜同様に記載する。）と、ＩＬＡ（Ｉｎｔｅｇｒａｔｅｄ  Ｌｉｎｋ  Ａｄａｐｔｅｒ：中継アダプタ）を有する中継局Ｅ１，Ｅ２，Ｆ１，Ｆ２などとから構成されている。
【００３７】
ここで、ノードＡ１〜Ｄ１及び中継局Ｅ１，Ｆ１は現用系であり、一方、ノードＡ２〜Ｄ２及び中継局Ｅ２，Ｆ２は予備用系である。
【００３８】
また、ノードＡ１，Ａ２，Ｄ１，Ｄ２は、端局（局舎）３０，５０を構成する波長分割多重伝送装置であり、ノードＢ１，Ｂ２，Ｃ１，Ｃ２は、中間局（局舎）４０を構成する波長分割多重伝送装置あり、ともに、光信号を入出力し、入出力した光信号を波長分割多重して伝送する機能を有する。
【００３９】
図１に示すように、波長分割多重伝送システム１００は、一つあたりのノードが、ＯＳＣ１０Ａ〜１０Ｄ，２０Ａ〜２０Ｄと、ＴＸＡ１１Ａ〜１１Ｄ，２１Ａ〜２１Ｄと、ＲＸＡ１２Ａ〜１２Ｄ，２２Ａ〜２２Ｄと、ＯＭＵＸ１３Ａ〜１３Ｄ，２３Ａ〜２３Ｄと、ＯＤＭＵＸ１４Ａ〜１４Ｄ，２４Ａ〜２４Ｄとを一組ずつ持つ。
【００４０】
さらに、ＴＰＮＤ１５Ａ，１６ＡとＴＰＮＤ１５Ｄ，１７Ｄが、それぞれ、通信バス１７Ａ，１７Ｄで接続されて２枚を１組として冗長構成をとり、現用系であるノードＡ１，Ｄ１に設置されている。
【００４１】
さらにまた、外部のクライアント８０，９０から入力した光信号を分岐してＴＰＮＤ１５Ａ，１６Ａ又はＴＰＮＤ１５Ｄ，１７Ｄに出力し、ＴＰＮＤ１５Ａ，１６Ａ又はＴＰＮＤ１５Ｄ，１７Ｄから入力した光信号を集約して外部に出力する光カプラ１８Ａ，１８Ｄも、ノードＡ１，Ｄ１に設置されている。
【００４２】
ここで、ＯＭＵＸ（Ｏｐｔｉｃａｌ  Ｍｕｌｔｉｐｌｅｘｅｒ）とは、複数の入力ポートを持っており、入力ポートから入力した複数の波長をもつ信号を合波して波長多重信号として伝送路に出力する装置である。
【００４３】
ＯＤＭＵＸ（Ｏｐｔｉｃａｌ  Ｄｅｍｕｌｔｉｐｌｅｘｅｒ）とは、複数の出力ポートを持っており、伝送路から入力した波長多重信号を、ＩＴＵ−Ｔ Ｇｒｉｄで規定された複数の波長信号に分波し、対向するＯＭＵＸに光信号として送信する装置である。
【００４４】
ＴＸＡ（Ｔｒａｎｓｍｉｓｓｉｏｎ  Ａｍｐｌｉｆｉｅｒ：送信アンプ）とは、ＯＭＵＸから出力された波長多重信号を増幅して伝送路から送信する装置である。
【００４５】
ＲＸＡ（Ｒｅｃｅｉｖｅ  Ａｍｐｌｉｆｉｅｒ：受信アンプ）とは、伝送路から入力した波長多重信号を増幅してＯＤＭＵＸに送信する装置である。
【００４６】
ＯＳＣ（Ｏｐｔｉｃａｌ  Ｓｕｐｅｒｖｉｓｏｒｙ  Ｃｈａｎｎｅｌ）とは、ＴＸＡ及びＲＸＡでの波長多重信号の増幅に必要な多重波長数の情報を、伝送されている波長多重信号から取り出し、同一ノード内の別の伝送路に送出し、波長多重信号を取り出された波長多重信号である主信号に波長多重する装置である。
【００４７】
ＴＰＮＤ（Ｔｒａｎｓｐｏｎｄｅｒ）とは、クライアントから光信号を入出力するインタフェース部であって、クライアント（装置）側から入力した光信号を、電気変換し、３Ｒ（Ｒｅｔｉｍｅ，Ｒｅｇｅｎｅｒａｔｅ，Ｒｅｓｈａｐｅ）再生してＩＴＵ−Ｔ Ｇｒｉｄ（ＩＴＵ−Ｔ Ｇ．６９２ の光インターフェース波長間隔）で規定された複数の光波長の信号に変換してＯＭＵＸに出力し、ＯＤＭＵＸから入力した光信号を、電気変換し、３Ｒ再生してクライアント側に出力する装置である。
【００４８】
現用系と予備用系のノードＡ１，Ａ２は、端局である局舎３０に共に設置されている。
【００４９】
これらノードＡ１，Ａ２のうち、現用系のノードＡ１には、ＴＰＮＤ１５Ａ，１６Ａが二枚とも実装される。そして、ＴＰＮＤ１５Ａ，１６Ａの波長分割多重側の入出力は、それぞれノードＡ１とノードＡ２のＯＭＵＸ１３Ａ，２３Ａ及びＯＤＭＵＸ１４Ａ，２４Ａに接続されており、ＯＭＵＸ１３Ａ，２３Ａ及びＯＤＭＵＸ１４Ａ，２４Ａとの間で光信号を入出力する。
【００５０】
また、同じく現用系と予備用系のノードＢ１，Ｂ２，Ｃ１，Ｃ２は、中間局である局舎４０に共に設置されている。
【００５１】
そして、ノードＢ１，Ｃ１間において、ＯＤＭＵＸ１４Ｂの出力は、ＯＭＵＸ１３Ｃに光パッチコードで接続され、ＯＤＭＵＸ１４Ｃの出力は、ＯＭＵＸ１３Ｂに光パッチコードで接続される。
【００５２】
同様に、ノードＢ２，Ｃ２間においても、ＯＤＭＵＸ２４ＢとＯＭＵＸ２３Ｃとの間と、ＯＤＭＵＸ２４ＣとＯＭＵＸ２３Ｂとの間がそれぞれ光パッチコードで接続される。
【００５３】
また、ノードＢ１，Ｃ１間及びノードＢ２，Ｃ２間は、ＯＳＣ１０Ｂ，１０Ｃ間及びＯＳＣ２０Ｂ，２０Ｃ間においてそれぞれ後述するＳＶ（Ｓｕｐｅｒｖｉｓｏｒｙ  Ｃｈａｎｎｅｌ）信号を送受信する区間である。
【００５４】
ＯＳＣ１０Ｂ，２０Ｂ，１０Ｃ，２０Ｃは、上述した従来のＯＳＣの機能に加え、伝送される波長多重信号から取り出した多重波長数の情報などを含むＳＶ信号を、多重波長数を取り出された波長多重信号である主信号の伝送路と異なるＯＳＣ間通信バス７１，７２を介して、それぞれ対向するＯＳＣ１０Ｂ，２０Ｂ，１０Ｃ，２０Ｃと送受信する機能と、対向するＯＳＣ１０Ｂ，２０Ｂ，１０Ｃ，２０Ｃから受信したＳＶ信号から波長多重数の情報などを取り出す機能とをさらに有する。
【００５５】
ここでＳＶ信号とは、波長分割多重による一般回線の信号とは別の波長を使用し、ノード間で一般回線の信号の多重波長数の情報などを含む管理データを送受信するための信号である。
【００５６】
現用系と予備用系のノードＤ１，Ｄ２は、ノードＡ１，Ａ２と同様の構成であり、端局である局舎５０に共に設置されている。
【００５７】
ノードＤ１には、ＴＰＮＤ１５Ｄ，１６Ｄが二枚とも実装される。ＴＰＮＤ１５Ｄ，１６Ｄの波長分割多重側の入出力は、それぞれノードＤ１とノードＤ２のＯＭＵＸ１３Ｄ，２３Ｄ及びＯＤＭＵＸ１４Ｄ，２４Ｄに接続されており、ＯＭＵＸ１３Ｄ，２３Ｄ及びＯＤＭＵＸ１４Ｄ，２４Ｄとの間で光信号を入出力する。
【００５８】
各ＩＬＡを有する中継局Ｅ１，Ｅ２，Ｆ１，Ｆ２は、ノードＡ１，Ｂ１間と、ノードＡ２，Ｂ２間と、ノードＣ１，Ｄ１間と、ノードＣ２，Ｄ２間とにおいて、伝送路を流れる波長多重信号を、増幅して中継する装置である。
【００５９】
このようにして、波長分割多重伝送システム１００は、端局３０，５０の現用系側に、現用系又は予備用系を伝送される光信号を入出力するＴＰＮＤ１５Ａ，１６Ａ，１５Ｄ，１６Ｄを現用系及び予備用系の２系統分設けた構成となっている。
【００６０】
なお、本実施の形態では、ＴＰＮＤ１５Ａ，１６Ａ，１５Ｄ，１６Ｄを、端局３０，５０の現用系側に設ける構成としているが、端局３０，５０の予備用側に設ける構成としてもよい。
【００６１】
次に、ノードＡ１，Ａ２の構成について図２を参照して説明する。
【００６２】
図２は、ノードＡ１，Ａ２の構成の１部を示す模式図である。
【００６３】
図２を参照すると、２枚１組のＴＰＮＤ１５Ａ，１６Ａが共にノードＡ１側に設置されている一方、ＴＰＮＤ１５Ａ，１６Ａに接続するＯＭＵＸ１３Ａ，２３Ａは、現用系のノードＡ１又は予備用系のノードＡ２にそれぞれ設置されている。そして、各機能を監視及び制御する監視制御部６０Ａが、現用系のノードＡ１側に設置され、装置内監視制御バス１９Ａを介して、ＴＰＮＤ１５Ａ，１６Ａ及びＯＭＵＸ１３Ａに接続している。
【００６４】
このような構成をとることにより、冗長構成とした場合でも、新しく追加された現用系又は予備用系を含めた波長分割多重伝送システム全体の制御をするための制御バスを追加する必要がないのでコストを抑えることができる。
【００６５】
なお、ノードＤ１、ノードＤ２は、ノードＡ１、ノードＡ２と同様の構成である。
【００６６】
図３は、ＴＰＮＤ１５Ａ，１６Ａの構成を示すブロック図である。
【００６７】
ＴＰＮＤ１５Ａ，１６Ａは、入出力部１５１Ａ，１６１Ａと、ファームウエア部１５２Ａ，１６２Ａとから構成されている。
【００６８】
また、ＴＰＮＤ１５Ａ，１６Ａは、通信バス１７Ａで互いに連結し、装置内監視制御バス１９Ａでそれぞれ監視制御部６０Ａに接続する。
【００６９】
入出力部１５１Ａ，１６１Ａは、クライアント８０側から入力した光信号を、電気変換及び３Ｒ再生して規定された複数の光波長の信号に変換してＯＭＵＸ１３Ａ，２３Ａに出力し、また、ＯＤＭＵＸ１４Ａ，２４Ａから入力した光信号を、電気変換及び３Ｒ再生してクライアント８０側に出力する。
【００７０】
ファームウエア部１５２Ａ，１６２Ａは、通信バス１７Ａを介して互いに他方のＴＰＮＤの信号状態を監視し、品質の良い信号が伝送されている回線側のＴＰＮＤがクライアント側に信号を出力するように制御する。
【００７１】
次に、ノードＢ１，Ｃ１間の構成について図４を参照して説明する。
【００７２】
図４は、ノードＢ１，Ｃ１間の構成の１部を示す模式図である。図４に示すように、ノードＢ１は、伝送路から入力した波長多重信号を増幅するＲＸＡ１２Ｂと、後述する個別波長数情報を含むＳＶ信号を波長多重信号から抽出し、抽出したＳＶ信号をＳＶ信号通信バス１６Ｂを介して受信するＯＳＣ１０Ｂと、ＳＶ信号が抽出された後の波長多重信号である主信号をＲＸＡ１２Ｂから入力し、この主信号を複数の出力ポート（不図示）から出力するＯＤＭＵＸ１４Ｂと、ＴＰＮＤ１５Ｂとを有する。
【００７３】
ここで個別波長数情報は、波長多重信号の個別の波長数を示す情報であって、ＳＶ信号に含められ、上流局のノードＢ１から下流局のノードＣ１へ転送される情報である。
【００７４】
ノードＣ１は、ＯＳＣ１０ＢからＯＳＣ間通信バス７１を介してＳＶ信号を受信し、装置内通信バス１６Ｃを介してＴＸＡ１１ＣにＳＶ信号を送信するＯＳＣ１０Ｃと、ＯＤＭＵＸ１４Ｂと光パッチコード７０でパッチコードスルー接続され、ＯＤＭＵＸ１４Ｂから出力された主信号を複数の入力ポート１７Ｃ，１８Ｃ、１９Ｃから入力するＯＭＵＸ１３Ｃと、ＯＳＣ１０Ｃ及びＯＭＵＸ１３Ｃと個別波長数情報を送受信する監視制御部６０Ｃと、ＴＰＮＤ１５Ｃと、伝送路へ出力する波長多重信号を増幅するＴＸＡ１１Ｃとを有する。
【００７５】
なお、Ｂａｃｋ ｔｏ Ｂａｃｋで接続されるノードＢ１とノードＣ１とのＯＳＣ１０Ｂ，１０Ｃ間は、同一局舎４０内のため再生中継が不要な伝送距離であり、また波長の分割多重をする必要がないため、高価な１．６ｕｍ 光モジュールではなく、安価な１．５ｕｍ 光モジュールを採用している。
【００７６】
次に、ノードＢ１，Ｃ１間の動作の１例について説明する。
【００７７】
図４を参照すると、ＯＳＣ１０Ｃは、上流ノードＢ１からＳＶ信号を利用して伝達される個別波長数情報を監視制御部６０Ｃに通知する。監視制御部６０Ｃは、その個別波長数情報をＯＭＵＸ１３Ｃに通知すると共に、ＯＭＵＸ１３Ｃの入力ポート１７Ｃ，１８Ｃ、１９Ｃの設定を行う。ＯＭＵＸ１３Ｃは、入力ポート１７Ｃ，１８Ｃ、１９Ｃに光検出器（ＰＤ、不図示）を有し、入力ポート１７Ｃ，１８Ｃ、１９Ｃで入力した光信号のパワーレベルを検出する。
【００７８】
そして、ＯＭＵＸ１３Ｃは、通知された多重波長数情報及び検出した光信号のパワーレベルに基づいて、中間局のノードＢ１，Ｃ１間で伝送された光信号の多重波長数を判定する。
【００７９】
なお、ＯＭＵＸ１３Ｃの各入力ポート１７Ｃ，１８Ｃ、１９Ｃには後述する「通過 ｏｒ 終端」設定がなされる。
【００８０】
ユーザは、架前端末やネットワークなどを通じ、監視制御部６０Ｃを介して光パッチコード７０で接続を行う入力ポート１７Ｃ，１８Ｃを「通過」に設定する。
【００８１】
一方、ＴＰＮＤ１５Ｃから信号を入力する入力ポート１９Ｃを「終端」に設定する。
【００８２】
図５は、ＯＭＵＸ１３Ｃの各入力ポート１７Ｃ，１８Ｃ、１９Ｃの設定及び信号入力の有無の判定を示す図である。
【００８３】
ＯＭＵＸ１３Ｃは、設定が「終端」の入力ポート１９Ｃの場合において、監視制御部６０Ｃを介してＯＳＣ１０Ｃから伝達される個別波長の有無は無視して、入力ポート１９Ｃに光信号が有るときはＯＭＵＸ１３Ｃに入力信号による波長が有ると判断し、反対に、光信号がないときはＯＭＵＸ１３Ｃに入力信号による波長が無いと判断する。
【００８４】
また、ＯＭＵＸ１３Ｃは、設定が「通過」の入力ポート１７Ｃ，１８Ｃの場合において、入力ポート１７Ｃ，１８Ｃに光信号が有るとき、ＯＳＣ１０Ｃから伝達される個別波長が有る際はＯＭＵＸ１３Ｃに入力信号による波長が有ると判断し、個別波長が無い際は雑音と判定してＯＭＵＸ１３Ｃに入力信号による波長が無いと判断する。
【００８５】
一方、例えば、設定が「通過」の入力ポートの場合でも、入力ポートに光信号が無いときは、ＯＳＣ１０ＣからＯＭＵＸ１３Ｃに伝達される個別波長の有無は無視して、ＯＭＵＸ１３Ｃに入力信号による波長は無いと判断する。
【００８６】
ＯＭＵＸ１３Ｃは、この判定結果を個別波長数情報として監視制御部６０Ｃに通知する。監視制御部６０ＣはこれをＯＳＣ１０Ｃに伝え、ＯＳＣ１０Ｃは、ＳＶ信号に判定結果による個別波長数情報を載せて伝送路に伝達する。
【００８７】
このとき、ＯＳＣ１０Ｂ，１０Ｃでは個別波長数の再計算は不要となるため、再計算処理を行わずに個別波長数がノードＢからノードＣ１に伝達される。
【００８８】
また、個別波長数の再計算処理を行わないので、ＯＳＣ１０Ｂ及びＯＳＣ１０Ｃの送信ポート及び受信ポートが、それぞれ対向するＯＳＣの受信ポート及び送信ポートと、安価な光パッチコード又は電気ケーブルによって接続される構成でも、ノードＢ１，Ｃ１間及びＢ２，Ｃ２間を伝送する光信号の個別波長数を正確に判定できる。
【００８９】
以上のようなノードＢ１，Ｃ１間の構成及び動作によって、本発明の第１の実施の形態は、以下の効果を奏する。
【００９０】
従来、図１０に示すノードＢ，Ｃ間でＢＢＴＰＮＤを用いない場合において、個別波長数は、複数の入力ポートを持つＯＭＵＸにおいて、チャンネル別の入力ポートの光レベルによるＬＯＳ（Ｌｏｓｓ  Ｏｆ  Ｓｉｇｎａｌ）の有無で判定されていた。
【００９１】
しかし、波長分割多重伝送では、中継局においてＥＤＦＡ（Ｅｒｂｉｕｍ−Ｄｏｐｅｄ  Ｏｐｔｉｃａｌ  Ｆｉｂｅｒ  Ａｍｐｌｉｆｉｅｒ：エルビウム添加光ファイバ）による光増幅を行うため、中継を重ねる毎に雑音レベルが増大する。
【００９２】
そして、雑音レベルが増大することにより、ＯＭＵＸの入力部が、信号ではない雑音による光レベルを検知し、信号ではないにもかかわらず、これを信号と誤認識することがあった。
【００９３】
この誤認識によって、図１０に示すノードＢ，Ｃ間において、ＯＤＭＵＸとＯＭＵＸ間についてパッチコードによるスルー接続を行う場合、この間に信号が伝達されていないにもかかわらずＯＭＵＸの入力ポートに信号が伝達されていると判定されていた。
【００９４】
すなわち、信号が伝達されていないにもかかわらずＬＯＳが無いと判定されていた。そして、誤判定で算出されて実際と異なる個別波長数を示す情報は、ＳＶ信号に載せられ、主信号と共に下流装置に転送されていた。
【００９５】
このように、ノードＢ，Ｃ間でＢＢＴＰＮＤを用いない場合において、従来は、正しい波長数のカウントが行えない場合があるため波長分割多重伝送に悪影響を及ぼしていた。
【００９６】
そこで本実施の形態は、個別波長数情報を、波長多重信号から抽出して主信号とは別に伝送することによって、ＢＢＴＰＮＤを用いることなく、個別波長数を正確に判定することが可能となった。
【００９７】
また、主信号を３Ｒ再生中継して適正信号であるか否かを判定するＢＢＴＰＮＤが必要なくなるため、ハードウェアの部品点数を削減することで、コストを低く抑えた経済的なパス構築が可能となった。
【００９８】
さらに、ＯＳＣ１０Ｂ，１０Ｃでは個別波長数の再計算は不要となり、再計算処理を行わずに個別波長数情報をノードＢ１からノードＣ１に伝達するため、ＢＢＴＰＮＤを用いない場合であっても、処理負担を増やすことなく正確に個別波長数を判定できることとなった。
【００９９】
さらにまた、ＯＳＣ１０Ｂ及びＯＳＣ１０Ｃの送信ポート及び受信ポートが、それぞれ対向するＯＳＣの受信ポート及び送信ポートと、安価な光パッチコード又は電気ケーブルによって接続される構成でも、ノードＢ１，Ｃ１間及びＢ２，Ｃ２間を伝送する光信号の個別波長数を正確に判定できるので、コストを低く抑えることが可能となった。
【０１００】
次いで、第１の実施の形態の動作の１例を説明する。
【０１０１】
図１を参照すると、クライアントから出力された光信号は、ノードＡ１の光カプラ１８Ａで二分岐し、２枚１組のＴＰＮＤ１５Ａ，１６Ａにそれぞれ入力される。ＴＰＮＤ１５Ａ，１６Ａは、入力された光信号の波長をＩＴＵ−Ｔ Ｇｒｉｄの波長に変換し、それぞれＯＭＵＸ１３Ａ，２３Ａに入力する。
【０１０２】
ＯＭＵＸ１３Ａ，２３Ａは、ＴＰＮＤ１５Ａ，１６Ａからの出力信号を波長多重し、それぞれＴＸＡ１１Ａ，２１Ａに送出する。ＴＸＡ１１Ａ，２１Ａは、ＯＭＵＸ１３Ａ，２３Ａから入力した入力信号のパワーレベルを増幅し、対向ノードであるノードＢ１，Ｂ２にそれぞれ送出する。
【０１０３】
ノードＢ１，Ｂ２は、波長多重信号をＲＸＡ１２Ｂ，２２Ｂで受信し、パワーレベルを増幅してＯＤＭＵＸ１４Ｂ，２４Ｂに送出する。
【０１０４】
ＯＤＭＵＸ１４Ｂ，２４Ｂでは、ＲＸＡ１２Ｂ，２２Ｂで増幅された波長多重信号がＩＴＵ−Ｔ Ｇｒｉｄの波長に分波される。分波された信号は、主信号としてノードＣ１，Ｃ２へ送出され、ＯＭＵＸ１３Ｃ，２３Ｃに入力される。
【０１０５】
一方、ＯＳＣ１０Ｂ，２０Ｂは、ノードＡ１，Ａ２から送出された波長多重信号から抽出した多重波長数の情報を含むＳＶ信号を、主信号とは異なる経路で、それぞれ対向する下流のＯＳＣ１０Ｃ，２０Ｃに送出する。
【０１０６】
ノードＣ１及びＣ２は、ＳＶ信号の多重波長数の情報と、ＯＭＵＸ１３Ｃ，２３Ｃに入力された主信号の光入力レベルとによって、ＯＤＭＵＸ１４Ｂ，２４ＢからＯＭＵＸ１３Ｃ，２３Ｃへの光信号の入力の有無を判定する。
【０１０７】
ＯＭＵＸ１３Ｃ，２３Ｃは、入力した主信号を波長多重し、ＴＸＡ１１Ｃ，２１Ｃに送出する。ＴＸＡ１１Ｃ，２１Ｃは、主信号とＳＶ信号とからなる入力信号のパワーレベルを増幅し、対向ノードであるノードＤ１，Ｄ２にそれぞれ送出する。ノードＤ１，Ｄ２は、波長多重された主信号をＲＸＡ１２Ｄ，２２Ｄで受信し、パワーレベルを増幅してＯＤＭＵＸ１４Ｄ，２４Ｄに送出する。ＯＤＭＵＸ１４Ｄ，２４Ｄにおいて、波長多重された信号は、ＩＴＵ−Ｔ Ｇｒｉｄの波長に分波される。
【０１０８】
ＯＤＭＵＸ１４Ｄ，２４Ｄにおいて分波された信号は、それぞれＴＰＮＤ１５Ｄ，１６Ｄに入力される。２枚１組のＴＰＮＤ１５Ｄ，１６Ｄは、互いに相手のＴＰＮＤの情報である信号状態などを監視し、品質の良い回線側のＴＰＮＤがクライアントに信号を出力する。もう片側のＴＰＮＤはクライアント側への出力を停止する。    
そして、ＴＰＮＤ１５Ｄ，１６Ｄのクライアント側出力信号は光カプラ１８Ｄを介してクライアント装置に出力される。
【０１０９】
なお、ＴＸＡ１１Ａ〜１１Ｄ，２１Ａ〜２１Ｄ、ＲＸＡ１２Ａ〜１２Ｄ、２２Ａ〜２２Ｄは、波長多重信号の増幅について、波長多重信号の多重波長数に応じた出力レベルを持つので、この出力レベルの制御に多重波長数の情報を必要とする。この多重波長数の情報は、ＯＤＭＵＸ１４Ａ〜１４Ｄ、２４Ａ〜２４Ｄの波長入力側でカウントされ、ＯＳＣ１０Ａ〜１０Ｄ、２０Ａ〜２０Ｄに伝達される。
【０１１０】
そしてＯＳＣ１０Ａ〜１０Ｄ、２０Ａ〜２０Ｄは、伝達された多重波長数の情報を含む装置管理信号（ＳＶ信号）を、同一ノード内の別の伝送路に送出し、主信号である波長多重信号に波長多重する。
【０１１１】
ノードＡ１及びＡ２において、この情報はＯＤＭＵＸ１４Ａ，２４Ａの波長入力部でカウントされＯＳＣ１０Ａ，２０Ａに伝達される。そしてＯＳＣ１０Ａ，２０Ａは、この情報を含むＳＶ信号をＯＭＵＸ１３Ａ，２３Ａの出力側伝送路に送出する。
【０１１２】
主信号である波長多重信号にこのＳＶ信号が波長多重されることにより、対向ノードのノードＢ１及びＢ２に多重波長数の情報が伝達される。ノードＢ１及びＢ２は、ＳＶ信号を波長多重信号から抽出し、ノードＢ１及びＢ２のＯＳＣ１０Ｂ，２０Ｂにそれぞれ入力する。そしてＯＳＣ１０Ｂ，２０Ｂは、ＳＶ信号から波長多重数の情報を取り出し、このＳＶ信号をＯＳＣ１０Ｂ，２０Ｂの出力側伝送路及び対向ノードのノードＣ１及びＣ２のＯＳＣ１０Ｃ，２０Ｃにそれぞれ送出する。
【０１１３】
上述した動作により、上流でカウントされた波長数が下流に伝達されるので、ＯＤＭＵＸとＯＭＵＸ間をパッチコードによって直接接続を行っても、波長数のカウントの誤りを避けられる。
【０１１４】
また、ＯＭＵＸ１３Ｃ，２３Ｃの各入力ポート１７Ｃ，１８Ｃ，１９Ｃへの信号入力の有無を判定できるので、ＢＢＴＰＮＤを使用して主信号の有無を判定する必要がない。従って、主信号の再生中継が不要となることで、ＢＢＴＰＮＤを使用しなくて済むため、経済的にパスを構築できる。
【実施例１】
【０１１５】
図６は、本発明の第１の実施の形態に対応する実施例１における波長分割多重伝送システムを示す模式図である。
【０１１６】
図６に示す実施例１は、図１に示した第１の実施の形態による波長分割多重伝送システムにおいて、光信号の伝送がなされる現用系でクロック同期をとるための設定に特徴を有する。ここでは、便宜上光信号の伝送がなされる現用系のみについて図示している。
【０１１７】
図６を参照すると、本実施例は、第１の実施の形態の１部であるノードＡ１〜Ｄ１から構成されており、また、第１の実施の形態と同様にノードＡ１，Ｂ１間及びノードＣ１，Ｄ１間が、それぞれ中継局Ｅ１，Ｆ１を介して光ファイバで接続されており、ノードＢ１，Ｃ１間が、光パッチコードで接続されている。
【０１１８】
ＯＳＣ１０Ｂ，１０Ｃ間でＳＶ信号の通信を行うためには、通信するノードＢ1，Ｃ１間でクロックの同期が取れていることが必要である。
【０１１９】
本実施例では、ノードＢ1，Ｃ１間のクロック同期をとるにあたり、波長分割多重伝送システム１００を立ち上げるときに、ノード位置など、設定に関する情報を制御情報として入力するので、クロック同期のベースとなるベースクロック信号の設定が容易になっている。
【０１２０】
なお、この制御情報は、現用系及び予備用系のそれぞれの端局のノード、中間局のノード及び中継局毎に定められたものである。
【０１２１】
このベースクロックの設定は、各端局のノード、各中間局のノード及び各中継局が設置されている位置を示す位置情報と、光信号伝送の上流方向又は下流方向における接続関係を示す接続情報と、クロック同期のベースとなるベースクロック信号を定めてこのベースクロック信号の主従関係を示すクロック情報とを含む制御情報を、架前端末を使用するなどして管理制御部６０Ａに入力し、この入力された制御情報に基づいて行う。
【０１２２】
そして、入力した制御情報に基づき現用系及び予備用系のそれぞれの端局のノード及び中間局のノード間のクロック信号の同期をとることにより、ＯＳＣ間でＳＶ信号の通信を行う。
【０１２３】
本実施例では、ノード間でクロック同期をとるためのベースクロック信号として、マスタークロック信号を設定する。そして、各ノード及び中継局をマスタークロック信号にどのように従属させるかの設定は、各ノード及び各中継局が設置されている位置により変わる。
【０１２４】
ノード及び中継局の位置は、各ノード及び各中継局と、ＬＩＮＥ１，２と、信号の伝送される方向との関係から定めることとした。このように定めると、各ノード及び各中継局の位置情報が明確に定まるので、ユーザにとってクロック同期をとるための設定が容易となり、誤設定を防止することが可能となった。
【０１２５】
図７は、ＯＳＣのクロック同期をとるための制御情報の設定の一例を示す図である。
【０１２６】
図７を参照すると、クロック同期をとるため、マスタークロック信号の選択と、各ノード及び各中継局をマスタークロック信号にどのように従属させるかを示すスレーブの設定とを以下のように行っている。
【０１２７】
ユーザは、ノードＡ１〜Ｄ１及び中継局Ｅ１，Ｆ１について、位置情報と、接続情報と、クロック情報とを含む制御情報を定めて、直接又はネットワークを介するなどの手段によってこの制御情報を監視制御部６０Ａに入力する。
【０１２８】
ここで、位置情報は、ノードＡ１，Ｂ１，Ｃ１，Ｄ１がＬＩＮＥ１で上流に位置する場合には「ＬＩＮＥ１上流」を選択し、ノードＡ１，Ｂ１，Ｃ１，Ｄ１がＬＩＮＥ２で上流に位置する場合には「ＬＩＮＥ２上流」を選択する。
【０１２９】
また、接続情報は、Ｂａｃｋ  ｔｏ  Ｂａｃｋ接続の有無を選択することによって定める。本実施例においては、ノードＢ１，Ｃ１間のみが「有り」を選択し、他のノード間は「無し」を選択する。
【０１３０】
さらに、クロック情報は、ＩＮＴ（Ｉｎｉｔｉａｔｉｏｎ：主）、ＳＬＶ（Ｓｌａｖｅ：従）１、ＳＬＶ２から選択する。
【０１３１】
ここで、ＩＮＴが選択されたクロック信号は、ベースクロック信号であるマスタークロック信号として動作する。
【０１３２】
ＳＬＶ１が選択されたノード又は中継局は、中継局の場合、Ｌｉｎｅ１のクロックに従属することとする。ノードの場合、伝送路からの入力信号のクロックに従属することとする。
【０１３３】
ＳＬＶ２が選択されたノード又は中継局は、中継局の場合、ＬＩＮＥ２のクロックに従属することとする。ノードの場合、Ｂａｃｋ  ｔｏ  Ｂａｃｋで接続されているノードからの入力信号のクロックに従属することとする。
【０１３４】
なお、クロック情報の選択において、Ｄｅｆａｕｌｔとして、ノードＡ１を「ＩＮＴ」、中継局を「ＳＬＶ１」とすることで、容易な設定でクロック同期がとれる。
【０１３５】
図６及び図７を参照すると、本実施例は、ノードＡ１が外部から入力する信号のクロックがマスタークロックとして選択され、ノードＢ１，Ｃ１，Ｄ１及び中継局Ｅ１，Ｆ１が、ＬＩＮＥ１のクロックに従属して動作するように設定されている。
【０１３６】
このように設定することで、監視制御部６０Ａの制御によって波長分割多重伝送システム１００におけるクロックの同期が取れることとなるため、ノードＢ１，Ｃ１間においてもクロックの同期が取れることとなった。そして、ノードＢ１，Ｃ１間においてクロックの同期が取れたので、ＯＳＣ１０Ｂ，１０Ｃ間でのＳＶ信号の通信が可能となった。
【０１３７】
なお、本実施例は、クロック同期をとるための設定の１例であるので、ノードＤ１側から信号を入力してもよいし、また、クロック情報の選択において、Ｄｅｆａｕｌｔとして、ノードＤ１を「ＩＮＴ」、各中継局を「ＳＬＶ２」などとしてもよい。
【０１３８】
以上のようにすることで、波長分割多重伝送システムの設置前に厳密に冗長構成の必要な区間を予め定めてその区間をリング構成とする必要がなくなった。
【０１３９】
また、新たに現用系や予備用系を設置した後でも、ノードや中継局の位置情報などを含む制御情報を入力することによって、クロック同期をとるためのベースクロック信号を容易に設定できることとなったので、簡易にノード間でクロックの同期をとることが可能となった。
【０１４０】
以上説明したように、第１の実施の形態においては、以下に記載するような効果を奏することとなった。
【０１４１】
第１の効果は、２枚１組のＴＰＮＤ１５Ａ，１６Ａ及びＴＰＮＤ１５Ｄ，１６Ｄが、ノードＡ１，Ｄ１にそれぞれまとまって設置されているので、これらＴＰＮＤ１５Ａ，１６Ａ及びＴＰＮＤ１５Ｄ，１６Ｄの監視制御が容易となった。また、ＴＰＮＤの監視制御が容易であるので、各ノード間の複雑な制御をすることなく、容易に波長分割多重伝送システムの冗長構成を可能とした。
【０１４２】
第２の効果は、ＢＢＴＰＮＤが無い場合であっても、ＯＳＣ１０Ｂ，２０Ｂ及びＯＳＣ１０Ｃ，２０Ｃの送信ポート及び受信ポートが、それぞれ対向するＯＳＣの受信ポート及び送信ポートと、光パッチコードもしくは電気ケーブルで接続され、主信号とは別に波長数情報を伝達することによって、主信号の３Ｒ再生中継を不要とし、経済的なパス構築を可能とした。
【０１４３】
すなわち、波長分割多重伝送に必要な光信号の多重波長数を、３Ｒ再生中継することなく下流のノードに伝送する構成としたことから、中間局の波長分割多重装置ノードＢ１，Ｃ１間及びノードＢ２，Ｃ２間における伝送路のＢＢＴＰＮＤを必要としなくなったので、コストの抑制を可能とした。
【０１４４】
第３の効果は、ノードＡ１が外部から入力する信号のクロックがマスタークロックとして選択し、ノードＢ１，Ｃ１，Ｄ１及び中継局Ｅ１，Ｆ１が、ＬＩＮＥ１のクロックに従属して動作するように設定することで、ノードＢ１，Ｃ１間においてクロックの同期をとり、冗長構成においてＯＳＣ１０Ｂ，１０Ｃ間で容易にＳＶ信号の通信が可能となったので、波長分割多重伝送システムの設置前に厳密に冗長構成の必要な区間を予め定めてその区間をリング構成とする必要がなくなった。
【０１４５】
第４の効果は、ノードや中継局の位置情報などを含む制御情報を入力することによって、クロック同期をとるためのベースクロック信号を容易に設定できることとなったので、新たに現用系や予備用系を設置した場合でもクロック同期のための複雑な設定作業を行うことなく、ノード間でクロックの同期をとることを可能とした。
【０１４６】
（第２の実施の形態）
本発明の第２の実施の形態として、その構成を図８に示す。
【０１４７】
第２の実施の形態は、その基本的構成は上記の第１の実施の形態の通りであるが、ノードＡ１，Ｄ１にＴＰＮＤ３５Ａ，３５Ｄを新たに１枚増設し、ノードＡ１〜Ｄ１，Ａ２〜Ｄ２で予備用系のノードＡ３〜Ｄ３をさらに冗長させた構成としている。
【０１４８】
第２の実施の形態は、第１の実施の形態と同様、架前端末を使用するなどし、管理制御部６０Ａ，６０Ｄに各ノードや各中継局の位置情報などを含む制御情報を入力することで、適切なクロックの設定を行う。
【０１４９】
各ノード及び各中継局の位置情報は明確であるので、ユーザは、誤った設定をすることなく、容易に設定するができる。
【０１５０】
また、構成を拡張しても、ＴＰＮＤ１５Ａ，１６Ａ，３５Ａ又はＴＰＮＤ１５Ｄ，１６Ｄ，３５Ｄが、ノードＡ１又はＤ１にまとめて設置されていることにより制御が容易であるため、新たにノード及び中継局間の複雑な制御を行うことなく、現用系及び予備用系における光信号伝送のクロック同期の制御を容易に行えるので、拡張性が向上した。
【０１５１】
このようにして第２の実施の形態は、波長分割多重伝送システムの設置前に厳密に冗長構成が必要な区間を予め定めてその区間をリング構成とすることなく新たに予備用系を増設できるので、第１の実施の形態を容易に拡張できた。
【０１５２】
（第３の実施の形態）
本発明の第３の実施の形態として、その構成を図９に示す。第３の実施の形態は、その基本的構成は上記の第１の実施の形態の通りであるが、ノードＢ１，Ｃ１間及びノードＢ２，Ｃ２間における多重波長数情報の転送ついてさらに工夫している。
【０１５３】
図９を参照すると、第３の実施の形態は、ノードＢ１，Ｃ１間及びノードＢ２，Ｃ２間において、ＯＳＣ１０Ｂ，１０Ｃ間及びＯＳＣ２０Ｂ，２０Ｃ間の接続を削除し、代わりに、多重波長数情報を含むＳＶ信号を入出力するための通信用の外部インタフェース部を備え、これらノード間を後述するＳＣ （Ｓｙｓｔｅｍ  Ｃｏｎｔｒｏｌｌｅｒ）１０１Ｂ，１０１Ｃ間経由及びＳＣ２０１Ｂ，２０１Ｃ間経由で接続し、多重波長数の送受信を行っている。 
【０１５４】
ここでＳＣ１０１Ｂ，１０１Ｃは、ＯＳＣ１０Ｂ，１０Ｃや監視制御部６０Ｂ（不図示），６０Ｃにそれぞれ接続し、波長分割多重伝送システム全体を監視及び制御するパッケージである。ＳＣ１０１Ｂ，１０１Ｃは、装置内通信バス１９Ｂ，１９Ｃや監視制御部６０Ｂ，６０Ｃを介して装置内の各部に設定を行うと共に、情報収集を行う。さらに、ＮＭＳ（Ｎｅｔｗｏｒｋ  Ｍｅｎｅｇｉｍｅｎｔ  Ｓｙｓｔｅｍ）や架前端末などとの通信用外部インターフェース部を備える。
【０１５５】
なお、ＳＣ２０１Ｂ，２０１Ｃも、ＳＣ１０１Ｂ，１０１Ｃと同様の構成及び動作となっている。
【０１５６】
これによって、ＳＣ １０１Ｂ，１０１Ｃ、２０１Ｂ，２０１Ｃにおいて、ユーザーによる波長分割多重伝送システムの所定の制御や各種設定を外部からも行うことができる。
【０１５７】
このようにして、本実施の形態では、ＯＳＣとＳＣ間で多重波長数の送受信を行い、ＳＣ間で、例えば双方向イーサネット（Ｒ）などの通信用の外部インターフェースを利用して多重波長数の送受信を行う。
【０１５８】
前述の第１の実施の形態では、ノードＢ１，Ｃ１間におけるＯＳＣ１０Ｂ，１０Ｃ間、及びノードＢ２，Ｃ２間におけるＯＳＣ２０Ｂ，２０Ｃ間を、高価な部品である光パッチコードを用いて接続することで信号の伝送を行っているが、本実施の形態によれば、同一区間を、第１の実施の形態のような光パッチコードを用いる必要がなく、比較的安価でかつ汎用的なイーサネット（Ｒ）ケーブル等を用いて伝送できるので、ＳＣの追加に部品コストがかかるがそれ以上のコスト削減を図ることができる。
【０１５９】
以上好ましい複数の実施の形態をあげて本発明を説明したが、本発明は必ずしも、上記実施の形態に限定されるものでなく、その技術的思想の範囲内において様々に変形して実施することができる。
【図面の簡単な説明】
【０１６０】
【図１】本発明の第１の実施の形態による波長分割多重伝送システムの基本構成を示す模式図である。
【図２】本発明の第１の実施の形態によるノードＡ１，Ａ２の構成の１部を示す模式図である。
【図３】本発明の第１の実施の形態によるＴＰＮＤ１５Ａ，１６Ａの構成を示すブロック図である。
【図４】本発明の第１の実施の形態によるノードＢ１，Ｃ１間の構成の１部を示す模式図である。
【図５】本発明の第１の実施の形態によるＯＭＵＸの入力ポートの波長数判定情報を示す図である。
【図６】本発明の第１の実施の形態に対応する実施例１による波長分割多重伝送システムの構成の１部を示す模式図である。
【図７】本発明の第１の実施の形態に対応する実施例１によるＳＣのクロック同期をとるための制御情報の設定を示す図である。
【図８】本発明の第２の実施の形態による波長分割多重伝送システムの基本構成を示す模式図である。
【図９】本発明の第３の実施の形態による、波長分割多重伝送システムの基本構成を示す模式図である。
【図１０】従来の波長分割多重伝送システムの基本構成を示す模式図である。
【符号の説明】
【０１６１】
Ａ〜Ｄ，Ａ１〜Ｄ１，Ａ２〜Ｄ２，Ａ３〜Ｄ３：ノード
Ｅ１〜Ｅ３，Ｆ１〜Ｆ３：中継局
１０Ａ〜１０Ｄ，２０Ａ〜２０Ｄ，３０Ａ〜３０Ｄ：ＯＳＣ
１１Ａ〜１１Ｄ，２１Ａ〜２１Ｄ，３１Ａ〜３１Ｄ：ＴＸＡ
１２Ａ〜１２Ｄ，２２Ａ〜２２Ｄ，３２Ａ〜３２Ｄ：ＲＸＡ
１３Ａ〜１３Ｄ，２３Ａ〜２３Ｄ，３３Ａ〜３３Ｄ：ＯＭＵＸ
１４Ａ〜１４Ｄ，２４Ａ〜２４Ｄ，３４Ａ〜３４Ｄ：ＯＤＭＵＸ
１５Ａ，１５Ｄ，１６Ａ，１６Ｄ，２０Ａ〜２０Ｄ，３５Ａ，３５Ｄ：ＴＰＮＤ
１５１Ａ，１６１Ａ：入出力部
１５２Ａ，１６２Ａ：ファームウェア部
１６Ｂ：装置内通信バス
１７Ａ，１７Ｄ，３６Ａ，３６Ｄ：通信バス
１７Ｃ，１８Ｃ，１９Ｃ：ＯＭＵＸ入力ポート
１８Ａ，１８Ｄ：光カプラ
１９Ａ：装置内監視制御バス
３０，５０：端局
４０：中間局
６０Ａ，６０Ｃ：監視制御部
７０：パッチコードスルー接続
７１，７２，７３：ＯＳＣ間通信バス
８０，９０：クライアント
１００：波長分割多重伝送システム
１０１Ｂ，１０１Ｃ、２０１Ｂ，２０１Ｃ：ＳＣ
３００：波長数判定情報
４００：制御情報設定図
【図１】
2006279355.tif 000003
【図２】
2006279355.tif 000004
【図３】
2006279355.tif 000005
【図４】
2006279355.tif 000006
【図５】
2006279355.tif 000007
【図６】
2006279355.tif 000008
【図７】
2006279355.tif 000009
【図８】
2006279355.tif 000010
【図９】
2006279355.tif 000011
【図１０】
2006279355.tif 000012